(57)【要約】【課題】  犬等のペットの歩行又は走行を安全に行える動物誘導用補助具を提供する。【解決手段】  犬等のペットとリードとの間に設けられる本体５に、本体５の外部に向けて光を発光する発光ダイオード等の発光体６を設けたことにより、前記課題を解決した。本体５にペットに連結されるフック部１１及びリードが連結される連結部１２を設ける。また、本体５には、本体５から露出する長さが可変するロッドを設け、このロッドの露出長が短かくなるようにロッドを付勢する付勢部材を設け、かつ、ロッドに、フック部又は連結部が配置されて、フック部と連結部との間隔が可変することが好ましい。また、本体５に、ロッドの往復移動により起電力を発生させる給電源を設け、この給電源により発生させた起電力により発光体を発光させることが好ましい。【選択図】        図１
2006204277.tif 000002
【特許請求の範囲】
【請求項１】
犬等のペットとリードとの間に設けられる本体を有する動物誘導用補助器具であって、前記本体に、該本体の外部に向けて光を発光する発光体を設けたことを特徴とする動物誘導用補助器具。
【請求項２】
前記発光体が、発光ダイオードであることを特徴とする請求項１に記載の動物誘導用補助器具。
【請求項３】
前記発光体が、前記本体の周方向に光を発光させることを特徴とする請求項１又は２に記載の動物誘導用補助器具。
【請求項４】
前記本体には、前記ペットに連結されるフック部が設けられていると共に、前記リードが連結される連結部が設けられていることを特徴とする請求項１〜３のいずれか１項に記載の動物誘導用補助器具。
【請求項５】
前記フック部及び前記連結部の少なくとも一方が、回転可能に設けられていることを特徴とする請求項４に記載の動物誘導用補助器具。
【請求項６】
前記本体に、該本体から露出する長さが可変するロッドを設け、該ロッドの露出長が短かくなるようにロッドを付勢する付勢部材を設け、かつ、前記ロッドに、前記フック部又は前記連結部が配置されて、フック部と連結部との間隔が可変することを特徴とする請求項４又は５に記載の動物誘導用補助器具。
【請求項７】
前記本体に、前記ロッドの往復移動により起電力を発生させる電力発生源を設け、該電力発生源からの起電力により前記発光体を発光させることを特徴とする請求項６に記載の動物誘導用補助器具。
【請求項８】
前記本体に、振動により作動して前記発光体を発光させる振動スイッチを設け、該振動スイッチが作動した時点からの時間経過を計測するタイマーを設け、該タイマーが前記スイッチの作動時点から予め設定された所定時間の経過を計測したときに、前記発光体への通電を遮断するように構成したことを特徴とする請求項１〜７のいずれか１項に記載の動物誘導用補助器具。
【請求項９】
犬等のペットとリードとの間に設けられ、前記ペットに連結されるフック部及び前記リードが連結される連結部を有する本体を備えた動物誘導用補助器具であって、前記本体に、該本体から露出する長さが可変するロッドを設け、該ロッドの露出長が短かくなるようにロッドを付勢する付勢部材を設け、かつ、前記ロッドに、前記フック部又は前記連結部を配置して、フック部と連結部との間隔が可変することを特徴とする動物誘導用補助器具。
【請求項１０】
前記フック部及び前記連結部の少なくとも一方が、回転可能に設けられていることを特徴とする請求項９項に記載の動物誘導用補助器具。
【発明の詳細な説明】
【技術分野】
【０００１】  本発明は、犬等のペットの歩行又は走行を安全に行える動物誘導用補助具に関するものである。
【背景技術】
【０００２】  従来、犬等のペット（愛玩動物）を例えば散歩させる際に、紐、ベルト、ロープ等のリードが用いられている。このリードの一端を、図９及び図１０に示すように、例えば、犬２の首回りに装着されている首輪４のリング部４ａに接続し、このリード３の他端を散歩させる人が手に持って、犬の歩行等の方向を誘導しつつ犬の散歩を行っている。リード３の他端は、リード３を確実に把持することができるようにリング状の把持部が設けられたり（例えば、特許文献１参照。）、リード３の巻き取り・繰り出しを自在にしてリード３の長さを自由に調節できる把持可能な巻取繰出装置が設けられたりする。
【特許文献１】特開２００２−０３４３８２号公報
【発明の開示】
【発明が解決しようとする課題】
【０００３】  ところで、ペット例えば犬の散歩は昼間だけでなく夜間に行うことがある。その場合、自転車に乗っている人等に犬が認識されないことがある。例えば、犬の毛の色が黒系統の色で、かつ、リードの色が黒系統の色であると、犬を散歩させていることが分りづらい。特に、自転車に乗っている場合には、犬及びリードが一層認識し難く、犬と人（犬の散歩を行う人（誘導人ということがある。））との間、すなわちリード上を自転車が通ろうとすることがある。【０００４】  また、ペット例えば犬を散歩しているとき、犬は誘導人の近くに常にいることはなく、誘導人から突然離れようとすることがあり、その場合、リードに急激な張力がかかってリードを持っている手や腕、肩等に急激な負荷が掛ることがある。すなわち、リードが張った状態である場合はまだよいが、特にリードが垂れ下がって弛んだ状態で犬が急に誘導人から離れようとすると、突然リードが張った状態になってリードを持っている手や腕、肩等に急激な負荷が掛ることがある。そこで、安全に犬の散歩を行えるものが望まれている。【０００５】  本発明は、このような実情に鑑みなされたものであり、その目的は、犬等のペットの歩行又は走行を安全に行える動物誘導用補助具を提供することにある。
【課題を解決するための手段】
【０００６】  前記の目的を達成するための本発明の動物誘導用補助具は、犬等のペットとリードとの間に設けられる本体を有する動物誘導用補助器具であって、前記本体に、該本体の外部に向けて光を発光する発光体を設けたことを特徴とする。【０００７】  この発明によれば、ペットとリードとの間すなわちペットの装着具に設けられる本体に発光体を設けたことにより、ペットを例えば夜間に散歩するときに発光体が発光するので、ペットの存在が第三者に認識されやすくなる。その結果、安全にペットの歩行又は走行を行えることになる。【０００８】  本発明の動物誘導用補助具において、前記発光体が、発光ダイオードであることが好ましい。また、本発明の動物誘導用補助具において、前記発光体が、前記本体の周方向に光を発光させることが好ましい。また、本発明の動物誘導用補助具において、前記本体には、前記ペットに連結されるフック部が設けられていると共に、前記リードが連結される連結部が設けられていることが好ましい。また、本発明の動物誘導用補助具において、前記フック部及び前記連結部の少なくとも一方が、回転可能に設けられていることが好ましい。また、本発明の動物誘導用補助具において、前記本体に、該本体から露出する長さが可変するロッドを設け、該ロッドの露出長が短かくなるようにロッドを付勢する付勢部材を設け、かつ、前記ロッドに、前記フック部又は前記連結部が配置されて、フック部と連結部との間隔が可変することが好ましい。また、本発明の動物誘導用補助具において、前記本体に、前記ロッドの往復移動により起電力を発生させる給電源を設け、該給電源からの起電力により前記発光体を発光させることが好ましい。また、本発明の動物誘導用補助具において、前記本体に、振動により作動して前記発光体を発光させる振動スイッチを設け、該振動スイッチが作動した時点からの時間経過を計測するタイマーを設け、該タイマーが前記スイッチの作動時点から予め設定された所定時間の経過を計測したときに、前記発光体への通電を遮断するように構成することが好ましい。【０００９】  また、本発明の動物誘導用補助具は、犬等のペットとリードとの間に設けられ、前記ペットに連結されるフック部及び前記リードが連結される連結部を有する本体を備えた動物誘導用補助器具であって、前記本体に、該本体から露出する長さが可変するロッドを設け、該ロッドの露出長が短かくなるようにロッドを付勢する付勢部材を設け、かつ、前記ロッドに、前記フック部又は前記連結部を配置して、フック部と連結部との間隔が可変することを特徴とする。【００１０】  この発明によれば、本体に露出長が可変すると共に付勢部材により付勢されているロッドが設けられ、このロッドにフック部又は連結部が配置されていることにより、本発明の動物誘導用補助具が緩衝装置として作用するので、安全にペットの歩行又は走行を行える。すなわち、ペット例えば犬を散歩しているとき、突然犬が誘導人から離れようとしてリードに急激な張力が掛かった場合には、ロッドが付勢部材の付勢力に抗して移動して、そのリードに掛かる張力の一部が付勢部材に吸収されるので、リードを介して手や腕、肩等に掛かる負荷が軽減される。その結果、安全にペットの歩��又は走行を行えることになる。【００１１】  本発明の動物誘導用補助具において、前記フック部及び前記連結部の少なくとも一方が、回転可能に設けられていることが好ましい。
【発明の効果】
【００１２】  以上説明したように、本発明の動物誘導用補助具によれば、本体に発光体を設けたので、ペットを例えば夜間に散歩するときに、ペットの存在が第三者に認識されやすくなり、安全にペットの歩行又は走行を行える。【００１３】  また、本発明の動物誘導用補助具によれば、本体に露出長が可変すると共に付勢部材により付勢されているロッドを設け、このロッドにフック部又は連結部を配置したので、リードを介して手や腕、肩等に掛かる負荷が軽減され、安全にペットの歩行又は走行を行える。
【発明を実施するための最良の形態】
【００１４】  以下、本発明の動物誘導用補助具を添付図面に基づいて詳述する。
図１〜図３は、本発明の第１の動物誘導用補助具を示す斜視図である。この第１の動物誘導用補助具は、図１〜図３に示すように、犬２等のペットとリード３との間に設けられる本体５に光を発光する発光体６を設けたことを特徴とする。【００１５】  ペットとしては、犬２が特に好ましいが、犬２に限定されるものではなく、例えば散歩を誘導するペットであれば特に限定されない。犬２の首回りや胴回りには、首輪、胴輪等の装着具が装着され、この装着具例えば首輪４に本体５を介してリード３が接続される。なお、本実施の形態では装着具として首輪４を用いた場合について説明する。【００１６】  リード３は、犬２を散歩させる際に誘導する主たるもので、一般に知られているものであり、例えば、紐、ベルト、ロープ等の帯状体である。リード３の材質としては、特に限定されず、ナイロン、布、革、合成樹脂、金属等が挙げられる。【００１７】  リード３の一端には、リード３を犬２の首輪４に着脱自在に取り付けるための連結フック３ａが設けられている。リード３の他端には把持部（図示せず）が設けられている。把持部は、リード３を確実に把持することができるようにリング状に形成されたリング部や、リード３の巻き取り・繰り出しを自在にしてリード３の長さを自由に調節できる把持可能な巻取繰出装置等である。【００１８】  本体５は、どのような形状のものでもよく、例えば、円筒状に形成されている。本体５の両端面は閉塞されている。この本体５内に光を発光する発光体６が設けられ、この発光体６が設けられている本体５の周面は、光を透過させる透明部材で形成されている。また、本体５の一端面１７にはフック部１１が設けられていると共に、本体５の他端面には連結部１２が設けられ、これらフック部１１及び連結部１２のいずれか一方又は両方が回転可能に設けられていることが好ましい。【００１９】  フック部１１は、例えば、犬２の首輪４に着脱自在に取り付けるためのものであり、首輪４に着脱自在に取り付けられるならば特に限定されない。フック部１１は、本体５の一端面１７に本体５の軸を中心として回転可能に設けられていることが好ましい。フック部１１は、特に限定されず、既存のもの例えばリード３の一端に設けられているフック等を用いることができ、例えば、鉤部１１ａと操作部１１ｂとからなる。鉤部１１ａは、本体５の軸を中心として本体５に回転可能に設けられている。操作部１１ｂは、鉤部１１ａとで略リングを形成するもので、鉤部１１ａに移動可能に設けられていると共に、操作部１１ｂの先端部と鉤部１１ａの先端部とが当接するように付勢されており、操作部１１ｂを操作して移動することにより、例えば、犬２の首輪４に着脱自在に取り付けることができるようになっている。【００２０】  連結部１２は、リード３の連結フック３ａが取りつけられるものであり、例えば、リング状に形成されている。連結部１２は、本体５の他端面に本体５の軸を中心として回転可能に設けられていることが好ましい。なお、本体５の他端面には連結部１２が設けられているが、他端面にもフック部を設けるようにしてもよい。【００２１】  発光体６は、光を本体５の外部に向けて発光させるものであり、特に限定されずフィラメント等でもよ���が、ＬＥＤランプ等の発光ダイオードであることが好ましい。発光体６は、光の発光方向は特に限定されないが、光を本体５の周方向に向けて発光させることが好ましい。発光体６は、発光させる色は特に限定されず白でも赤でも青でもよく、また、常時点灯していても点滅していてもどちらでもよい。なお、発光体６は、本体５の周面に２つ以上設けて光を本体５の外部に向けて発光させるようにしてもよい。【００２２】  発光体６を発光させる給電源（図示せず）は、発光体６を発光できれば特に限定されず、本体５内に設けられている充電可能な内蔵電池であってもよい。この場合、本体５にはその内蔵電池の充電を行える充電コネクタ（図示せず）が設けられていることが好ましい。また、給電源として乾電池（図示せず）を用いてもよく、この場合には、本体５に例えば１つ又は２つ以上の乾電池を交換可能に収容する電池収容部（図示せず）を設けると共に、その電池収容部の開口部に蓋（図示せず）を着脱自在に取り付けることが好ましい。乾電池としては、市販されているものであれば特に限定されないが、単３乾電池、単４乾電池、単５乾電池、ボタン電池等の一次電池や、それら一次電池とほぼ同じ形の二次電池等が挙げられる。一次電池としては、例えばマンガン電池、アルカリ電池等が使用できる。また、二次電池としては、充電可能な電池であれば特に限定されず、例えば、ニッケル水素電池、ニカド電池等が使用できる。【００２３】  また、本体５には、発光体６への通電のオン・オフを切り替えるライトスイッチ１５が設けられていることが好ましい。【００２４】  次に、本発明の第１の動物誘導用補助具の作用を説明する。
例えば、犬２を散歩するには、犬２の例えば首輪４のリング部４ａに本体５のフック部１１を取り付ける（引っ掛ける）と共に、連結部１２にリード３の先端の連結フック３ａを取り付け、リード３の把持部を把持することにより、犬２を止めたり引っ張ったり等して犬２の歩行方向や走行方向を誘導しつつ犬２の散歩を行える。【００２５】  犬２の散歩が夜間の場合には、ライトスイッチ１５の操作により発光体６をオンにして、本体５から外部に向けて光を発光させる。その結果、犬２を散歩させながら犬２の首輪４に取り付けた本体５が発光するので、犬２の位置を把握することができると共に、第三者に犬２の存在を認知させることができる。【００２６】  したがって、本発明の第１の動物誘導用補助具１は、本体５に発光体６を設けたので、犬２の位置を把握することができると共に、第三者に犬２の存在を認知させることができ、安全にペットの歩行又は走行を行えることになる。【００２７】  また、ライトスイッチ１５の代わりに振動スイッチ（図示せず）を設けてもよい。振動スイッチは、振動により作動して発光体６を発光させる（発光体６への通電を行う）もので、一種の振動センサを有する。この振動センサとしては、特に限定されず、例えば、片もち梁型、ダイアフラム型、圧縮型、剪断型など各種の形式のものを用いることができる。このように振動スイッチを設けた場合には、本体には、振動スイッチが作動した時点からの時間経過を計測するタイマー（図示せず）を設け、このタイマーが振動スイッチの作動時点から予め設定された所定時間例えば２０秒（２０秒前後を含む。）の経過を計測したときに、発光体６への通電を遮断するように構成することが好ましい。このように構成すれば、犬２が動き出すと、自動的に発光体６への通電が行われ、そして所定時間後に発光体６への通電の遮断が行われるので、スイッチを切り替える操作を不要にすることができる。【００２８】  次に、本発明の第２の動物誘導用補助具を説明する。
この第２の動物誘導用補助具は、犬等のペットとリードとの間に設けられ、ペットに連結されると共にリードが連結される本体を有し、その本体に、本体から露出する長さが可変するロッドを設け、このロッドの露出長が短かくなるようにロッドを付勢する付勢部材を設け、かつ、ロッドに、フック部又は連結部を配置して、フック部と連結部との間隔が可変することを特徴とする。なお、前記と同じ部材には同一の名称を付しその説明を省略することがある。【００２９】  本体は、例えば、円筒状に形成されている。本体の一端面には第１壁部が設けられていると共に、他端面には第２壁部が設けられている。第２壁部にはその同軸上にロッド孔が設けられ、本体内がロッド移動部として形成されている。ロッド孔は、本体内のロッド移動部の径より小径で形成されている。このロッド孔を介してロッドの一端部がロッド移動部に挿通され、ロッドが本体に本体の同軸上に設けられている。【００３０】  ロッドは、ロッド孔の径より若干小さな寸法の径で形成されていることが好ましい、ロッドの一端部には、ロッド移動部の径より若干小さな寸法の径で形成されている円盤状のストッパが設けられており、ストッパがロッド移動部内をロッド移動部の軸方向に摺動し得るようになっている。これにより、ロッドが本体の同軸上を移動し得るようになっている。すなわち、ロッドの移動範囲は、第１壁部の内面と第２壁部の内面とをストッパが当接する移動範囲の長さである。ロッドの長さは、ストッパが第１壁部の内面に当接したとき、ロッドの他端部に設けられている連結部にリードの連結フックが取り付けることができる範囲から任意に選択される。【００３１】  ロッド移動部内のロッドの外周には、付勢部材である弾性部材例えばコイルバネが設けられている。このコイルバネは、一端部がストッパに当接していると共に他端部が第２壁部に当接してロッドのストッパを第１壁部に当接するように付勢するものである。すなわち、コイルバネは、本体から露出するロッドの長さが短かくなるようにロッドを付勢するものである。【００３２】  本体の一端面（第１壁面の外面）には、前記第１の動物誘導用補助具と同じフック部及び連結部のいずれか一方、例えばフック部が設けられている。フック部は、例えば、犬の首輪に着脱自在に取り付けるためのものであり、本体の軸を中心として回転可能に設けられていることが好ましい。また、ロッドの他端部には、フック部及び連結部の他方、例えば、連結部が設けられている。連結部は、リードの連結フックが取りつけられるものであり、例えば、リング状に形成されている。連結部は、本体の軸を中心として回転可能に設けられていることが好ましい。なお、ロッドの他端部には連結部が設けられているが、ロッドの他端部にもフック部を設けるようにしてもよい。【００３３】  次に、本発明の第２の動物誘導用補助具の作用を説明する。
例えば、犬を散歩するには、犬の例えば首輪のリング部にフック部を取り付ける（引っ掛ける）と共に、連結部にリードの先端の連結フックを取り付け、リードの把持部を把持することにより、犬を止めたり引っ張ったり等して犬の歩行方向や走行方向を誘導しつつ犬の散歩を行える。【００３４】  犬の散歩中に突然犬が誘導人から離れようとしてリードに急激な張力が掛かると、ロッドがコイルバネの付勢力に抗して移動するので、そのリードに掛かる張力の一部がコイルバネによって吸収されることになる。その結果、リードを介して手や腕、肩等に掛かる負荷が軽減されるので、安全にペットの歩行又は走行を行えることになる。【００３５】  したがって、本発明の第２の動物誘導用補助具は、突然犬が誘導人から離れようとしても、リードを介して手や腕、肩等に掛かる負荷が軽減されるので、安全にペットの歩行又は走行を行えることになる。【００３６】  次に、本発明の第３の動物誘導用補助具を説明する。
図４〜図６は、本発明の第３の動物誘導用補助具を示す図である。第３の動物誘導用補助具は、前記の本発明の第１の動物誘導用補助具と前記の本発明の第２の動物誘導用補助具とを組み合わせたものである。この第３の動物誘導用補助具は、図４〜図６に示すように、犬２等のペットとリード３との間に設けられ、ペットに連結されるフック部１１及びリード３が連結される連結部１２を有する本体３１を備え、本体３１に、本体３１の外部に向けて光を発光する発光体６を設け、本体３１に、本体３１から露出する長さが可変するロッド６０を設け、このロッド６０の露出長が短かくなるようにロッドを付勢する付勢部材を設け、かつ、ロッド６０に、フック部１１又は連結部１２を配置して、フック部と連結部との間隔が可変することを特徴とする。なお、前記と同じ部材には同一の名称や符号を付しその説明を省略することがある。【００３７】  本体３１は、どのような形状のものでもよく、例えば、円筒状に形成されている。本体３１の一端面には第１壁部が設けられていると共に、他端面には第２壁部３３が設けられている。本体３１内には、本体３１内を仕切る仕切壁部３４が設けられている。本体３１内の第１壁部と仕切壁部３４との間が発光部として形成され、この発光部に発光体６が設けられている。本体３１の発光部の周面は、光を透過させる透明部材で形成されている。【００３８】  第２壁部３３にはその同軸上にロッド孔３５が設けられ、本体内の第２壁部３３と仕切壁部３４との間がロッド移動部３６として形成されている。ロッド孔３５は、本体３１内のロッド移動部３６の径より小径で形成されている。このロッド孔３５を介してロッド６０の一端部がロッド移動部３６に挿通され、ロッド６０が本体３１に本体３１の同軸上に設けられている。【００３９】  ロッド６０は、ロッド孔３５の径より若干小さな寸法の径で形成されていることが好ましい。ロッド６０の一端部には、ロッド移動部３６の径より若干小さな寸法の径で形成されている円盤状のストッパ６１が設けられており、ロッド６０が本体３１の同軸上を移動し得るようになっている。ロッド６０の長さは、ストッパ６１が仕切り壁部３４に当接したとき、ロッド６０の他端部に設けられている連結部１２にリード３の連結フック３ａが取り付けることができる範囲から任意に選択される。【００４０】  ロッド移動部３６内のロッド６０の外周には、付勢部材である弾性部材例えばコイルバネ７１が設けられている。このコイルバネ７１は、一端部がストッパ６１に当接していると共に他端部が第２壁部３３に当接してストッパ６１を仕切り壁部３４に当接するように付勢するものである。すなわち、コイルバネ７１は、本体３１から露出するロッド６０の長さが短かくなるようにロッド６０を付勢するものである。【００４１】  また、本体３１の一端面（第１壁部）にはフック部１１が設けられていると共に、ロッドの先端面（他端部）には連結部１２が設けられている。【００４２】  フック部１１は、例えば、犬２の首輪４に着脱自在に取り付けるためのものであり、首輪４に着脱自在に取り付けられるならば特に限定されない。フック部１１は、本体３１の一端面に本体３１の軸を中心として回転可能に設けられていることが好ましい。フック部１１は、特に限定されず、既存のもの例えばリード３の一端に設けられているフック等を用いることができ、例えば、鉤部１１ａと操作部１１ｂとからなる。鉤部１１ａは、本体３１の軸を中心として本体３１に回転可能に設けられている。操作部１１ｂは、鉤部１１ａとで略リングを形成するもので、鉤部１１ａに移動可能に設けられていると共に、操作部１１ｂの先端部と鉤部１１ａの先端部とが当接するように付勢されており、操作部１１ｂを操作して移動することにより、例えば、犬２の首輪４に着脱自在に取り付けることができるようになっている。【００４３】  連結部１２は、リード３の連結フック３ａが取りつけられるものであり、例えば、リング状に形成されている。連結部１２は、ロッド６０の先端面にロッド６０の軸を中心として回転可能に設けられていることが好ましい。なお、ロッド６０の先端面には連結部１２が設けられているが、ロッド６０の先端面にもフック部を設けるようにしてもよい。【００４４】  発光体６は、光を本体３１の外部に向けて発光させるものであり、特に限定されずフィラメント等でもよいが、ＬＥＤランプ等の発光ダイオードであることが好ましい。発光体６は、光の発光方向は特に限定されないが、光を本体３１の周方向に向けて発光させることが好ましい。発光体６は、発光させる色は特に限定されず白でも赤でも青でもよく、また、常時点灯していても点滅していてもどちらでもよい。なお、発光体６は、本体３１の周面に２つ以上設けて光を本体３１の外部に向けて発光させるようにしてもよい。【００４５】  発光体６を発光させる給電源（図示せず）は、発光体６を発光できれば特に限定されず、本体３１内に設けられている充電可能な内蔵電池であってもよい。この場合、本体５にはその内蔵電池の充電を行える充電コネクタ（図示せず）が設けられていることが好ましい。また、給電源として乾電池（図示せず）を用いてもよく、この場合には、本体３１に例えば１つ又は２つ以上の乾電池を交換可能に収容する電池収容部（図示せず）を設けると共に、その電池収容部の開口部に蓋（図示せず）を着脱自在に取り付けることが好ましい。乾電池としては、市販されているものであれば特に限定されないが、単３乾電池、単４乾電池、単５乾電池、ボタン電池等の一次電池や、それら一次電池とほぼ同じ形の二次電池等が挙げられる。一次電池としては、例えばマンガン電池、アルカリ電池等が使用できる。また、二次電池としては、充電可能な電池であれば特に限定されず、例えば、ニッケル水素電池、ニカド電池等が使用できる。【００４６】  また、本体３１には、発光体６への通電のオン・オフを切り替えるライトスイッチ１５が設けられていることが好ましい。【００４７】  次に、本発明の第３の動物誘導用補助具の作用を説明する。
例えば、犬２を散歩するには、犬２の例えば首輪４のリング部４ａにフック部１１を取り付ける（引っ掛ける）と共に、連結部１２にリード３の先端の連結フック３ａを取り付け、リード３の把持部を把持することにより、犬２を止めたり引っ張ったり等して犬２の歩行方向や走行方向を誘導しつつ犬２の散歩を行える。【００４８】  犬２の散歩が夜間の場合には、ライトスイッチ１５により発光体６をオンにして、本体３１から外部に向けて光を発光させる。その結果、犬２を散歩させながら犬２の首輪４に取り付けた本体３１の発光体６が発光するので、犬２の位置を把握することができると共に、第三者に犬２の存在を認知させることができる。【００４９】  また、犬の散歩中に突然犬が誘導人から離れようとしてリード３に急激な張力が掛かると、図６に示すように、ロッド６０がコイルバネ７１の付勢力に抗して移動するので、そのリード３に掛かる張力の一部がコイルバネ７１によって吸収されることになる。その結果、リード３を介して手や腕、肩等に掛かる負荷が軽減されるので、安全にペットの歩行又は走行を行えることになる。【００５０】  したがって、本発明の第３の動物誘導用補助具３０は、夜間に犬２の散歩を行うとき、犬２の位置を把握することができると共に、第三者に犬２の存在を認知させることができ、かつ、犬２の散歩中に、突然犬２が誘導人から離れようとしても、リード３を介して手や腕、肩等に掛かる負荷が軽減されるので、安全にペットの歩行又は走行を行えることになる。【００５１】  また、ライトスイッチ１５の代わりに振動スイッチ（図示せず）を設けてもよい。振動スイッチは、振動により作動して発光体６を発光させる（発光体６への通電を行う）もので、一種の振動センサを有する。この振動センサとしては、特に限定されず、例えば、片もち梁型、ダイアフラム型、圧縮型、剪断型など各種の形式のものを用いることができる。このように振動スイッチを設けた場合には、本体には、振動スイッチが作動した時点からの時間経過を計測するタイマー（図示せず）を設け、このタイマーが振動スイッチの作動時点から予め設定された所定時間例えば２０秒（２０秒前後を含む。）の経過を計測したときに、発光体６への通電を遮断するように構成することが好ましい。このように構成すれば、犬２が動き出すと、自動的に発光体６への通電が行われ、そして所定時間後に発光体６への遮断が行われるので、スイッチを切り替える操作を不要にすることができる。【００５２】  次に、本発明の第４の動物誘導用補助具を説明する。
図７は本発明の第４の動物誘導用補助具を示す図である。図８は本発明の給電源の一例を示す回路図である。第４の動物誘導用補助具は、前記の本発明の第３の動物誘導用補助具に自己発電機を備えたものである。この第４の動物誘導用補助具は、図７及び図８に示すように、本体４１に、ロッド６０の往復移動により起電力を発生させる給電源８０を設け、この給電源８０により発生させた起電力により発光体６を発光させることを特徴とする。なお、前記と同じ部材には同一の名称や符号を付しその説明を省略することがある。【００５３】  すなわち、本体４１は、どのような形状のものでもよく、例えば、円筒状に形成され、一端面に第１壁部が、他端面に第２壁部４３が、略中央部に仕切り壁部４４がそれぞれ設けられている。本体４１内の第１壁部と仕切壁部４４との間が発光部として形成され、この発光部に発光体６が設けられている。本体４１の発光部の周面は、光を透過させる透明部材で形成されている。本体４１内の第２壁部４３と仕切壁部４４との間がロッド移動部４６として形成されている。このロッド移動部４６に第２壁部４３のロッド孔３５を介してロッド６０の一端部が挿通されている。このロッド６０の一端部には、ストッパ６１が設けられている。ロッド移動部４６内のロッド６０の外周には、付勢部材である弾性部材例えばコイルバネ７１が設けられており、本体４１から露出するロッド６０の長さが短かくなるようにロッド６０が付勢されるうようになっている。また、本体４１の第１壁部にはフック部１１が設けられていると共に、ロッド６０の先端面（他端部）には連結部１２が設けられている。また、本体４１には、発光体６への通電のオン・オフを切り替えるライトスイッチが設けられていることが好ましい。【００５４】  また、本体４１には給電源８０が設けられている。給電源８０は、ロッド６０の往復移動により起電力を発生させる電力発生源であり、起電力を発生できれば特に限定されない。給電源は、例えば、ロッド移動部４６を形成する本体４１の壁部内や内壁面に設けられたコイル８１と、ロッド６０に設けられた磁石８２と、給電回路８３とからなり、ロッド６０が本体４１に対して往復移動することにより、磁石８２がコイル８１に対して相対的に変位して電磁誘導によりコイル８１に起電力が発生するようになっている。【００５５】  コイル８１は、ロッド６０の往復移動により起電力が発生するものであり特に限定されない。磁石８２は、例えば、永久磁石等である。この磁石８２は、例えば、ロッド６０のストッパ６１の周面に固着されたり、ストッパ６１自身を形成したりしてロッド６０に設けられている。【００５６】  給電回路８３は、図８に示すように、コイル８１からの電流を整流するブリッジダイオード８５と、バッテリーとして電解コンデンサー８６と、からなる。ブリッジダイオード８５は、コイル８１からの電流を整流することができれば特に限定されない。ブリッジダイオード８５の入力端には、コイル８１の両端が電気的に接続されている。ブリッジダイオード８５の出力端に電解コンデンサー８６が電気的に接続されている。これにより、コイル８１から得られる電流は周波数の一定しない交流電流であり、ブリッジダイオード���５により整流された後に電解コンデンサー８６に充電されるようになっている。電解コンデンサー８６の両極が発光体６（例えばＬＥＤラン）の両極に電気的に接続されており、ライトスイッチにより発光体６が発光したり消灯したり操作されるようになっている。また、電解コンデンサー８６のプラス極と発光体６のプラス極との間には、安定抵抗８８が設けられていることが好ましく、発光体６には安定した電流が供給されるようになっている。【００５７】  次に、本発明の第４の動物誘導用補助具の作用を説明する。
例えば、犬を散歩するには、犬の例えば首輪のリング部にフック部１１を取り付ける（引っ掛ける）と共に、連結部１２にリードの先端の連結フックを取り付け、リードの把持部を把持することにより、犬を止めたり引っ張ったり等して犬の歩行方向や走行方向を誘導しつつ犬の散歩を行える。【００５８】  犬の散歩が夜間の場合には、ライトスイッチの操作により発光体６をオンにして、本体４１から外部に向けて光を発光させる。その結果、犬を散歩させながら犬の首輪に取り付けた本体４１の発光体６が発光するので、犬の位置を把握することができると共に、第三者に犬の存在を認知させることができる。【００５９】  このとき、本体４１には、給電源８０が設けられているために、ロッド６０の往復移動によりコイル８１に起電力が発生し、これにより発光体６を発光させることができるので、電池切れの心配がないと共に、発光体６を発光させるための電源を別途用意する必要はない。すなわち、犬を散歩すると、犬は誘導人に近づいたり離れたりしてロッド６０が本体４１に対して往復移動する。これにより、コイル８１に起電力が発生するので、発光体６を発光させるための電源を別途用意する必要はない。また、発生した電流は、バッテリーとして電解コンデンサー８６に充電されるので、ロッド６０が往復移動していないときでも発光体６を発光させることができる。よって、電池切れの心配がなく、常時発光体６を発光させることができる。なお、犬を散歩させるときに電解コンデンサー８６が充電されていない場合には、犬を散歩させる前にロッド６０を本体に対して往復移動させて、電解コンデンサー８６に電流を充電させた状態で散歩させるようにすることが好ましい。【００６０】  また、犬の散歩中に突然犬が誘導人から離れようとしてリード３に急激な張力が掛かると、ロッド６０がコイルバネ７１の付勢力に抗して移動するので、そのリードに掛かる張力の一部がコイルバネ７１によって吸収されることになる。その結果、リードを介して手や腕、肩等に掛かる負荷が軽減されるので、安全にペットの歩行又は走行を行えることになる。【００６１】  したがって、本発明の第４の動物誘導用補助具４０は、夜間に犬の散歩を行うとき、犬の位置を把握することができると共に、第三者に犬の存在を認知させることができ、かつ、発光体６を常時発光させることができ、また、犬の散歩中に、突然犬が誘導人から離れようとしても、リードを介して手や腕、肩等に掛かる負荷が軽減されるので、安全にペットの歩行又は走行を行えることになる。【００６２】  また、ライトスイッチの代わりに振動スイッチ（図示せず）を設けてもよい。振動スイッチは、振動により作動して発光体６を発光させる（発光体６への通電を行う）もので、一種の振動センサを有する。この振動センサとしては、特に限定されず、例えば、片もち梁型、ダイアフラム型、圧縮型、剪断型など各種の形式のものを用いることができる。このように振動スイッチを設けた場合には、本体には、振動スイッチが作動した時点からの時間経過を計測するタイマー（図示せず）を設け、このタイマーが振動スイッチの作動時点から予め設定された所定時間例えば２０秒（２０秒前後を含む。）の経過を計測したときに、発光��６への通電を遮断するように構成することが好ましい。このように構成すれば、犬２が動き出すと、自動的に発光体６への通電が行われ、そして所定時間後に発光体６への遮断が行われるので、スイッチを切り替える操作を不要にすることができる。【００６３】  次に、本発明の第５の動物誘導用補助具の作用を説明する。
図１１は本発明の第５の動物誘導用補助具を示す図である。第５の動物誘導用補助具は、図１１に示すように、本体５１が薄型の矩形箱状に形成されて、特に小型犬用のものとして最適なものである。【００６４】  すなわち、本体５１は、光を透過させる材料例えば光透過性樹脂により薄型の矩形箱状に形成されている。本体５１は、例えば、底面５２ａが略矩形状の収容部５２と、その収容部５２の開口部を開閉可能にする蓋５３とからなる。収容部５２は、断面凹状に形成され、底面５２ａの両端部近傍には、ネジ溝を有する円筒状の取付部５２ｂ、５２ｂがそれぞれ設けられている。その取付部５２ｂ、５２ｂと対向する蓋５３の２箇所には、取付孔５３ａ、５３ａが設けられており、取付部材、例えば、２つのネジ５４、５４を取付孔５３ａ、５３ａを介して取付部５２ｂ、５２ｂに螺合させることによって収容部５２に着脱可能に蓋５３が取り付けられる。【００６５】  また、収容部５２には、その長手方向に延びる連結部材５５が設けられる。連結部材５５は、板状に形成されている。連結部材５５には、蓋５３を収容部５２に取り付けるための２つのネジ５４、５４が挿通される２つの貫通孔５５ａ、５５ａが設けられている。また、連結部材５５は、本体５１（収容部５２）の両端部を貫通する長さで形成されている。この連結部材５５の一端部には、フック部５６が回転可能に設けられていると共に、連結部材５５の他端部には、リング状の連結部５７が一体的に設けられている。【００６６】  また、収容部５２には、基板５８が収容される。基板５８には、２つのネジ５４、５４が挿通される２つの貫通孔５８ａ、５８ａが設けられている。この基板５８には、ＬＥＤランプ等の発光ダイオードである発光体６が設けられていると共に、発光体６を発光させる給電源としてのボタン電池５９が設けられている。また、基板５８には、振動スイッチ９１が設けられている。振動スイッチ９１は、振動により作動して発光体６を発光させる（発光体６への通電を行う）もので、一種の振動センサを有する。この振動センサとしては、特に限定されず、例えば、片もち梁型、ダイアフラム型、圧縮型、剪断型など各種の形式のものを用いることができる。このように振動スイッチ９１を設けた場合には、本体５１には、振動スイッチ９１が作動した時点からの時間経過を計測するタイマー（図示せず）を設け、このタイマーが振動スイッチ９１の作動時点から予め設定された所定時間例えば２０秒（２０秒前後を含む。）の経過を計測したときに、発光体６への通電を遮断するように構成することが好ましい。【００６７】  次に、本発明の第５の動物誘導用補助具の作用を説明する。【００６８】  夜間に犬２を散歩するには、犬２の例えば首輪４のリング部４ａに本体５１のフック部５６を取り付ける（引っ掛ける）と共に、連結部５７にリード３の先端の連結フック３ａを取り付け、リード３の把持部を把持することにより、犬２を止めたり引っ張ったり等して犬２の歩行方向や走行方向を誘導しつつ犬２の散歩を行える。【００６９】  犬２が動き出すと、振動により振動スイッチ９１が作動して発光体６が発光する。その結果、犬２を散歩させながら犬２の首輪４に取り付けた本体５１が発光するので、犬２の位置を把握することができると共に、第三者に犬２の存在を認知させることができる。そして所定時間後に発光体６への通電の遮断が行われるので、スイッチを切り替える操作を不要にすることができる。【００７０】  したがって、本発明の第５の動物誘導用補助具５０は、本体５１に発光体６を設けたので、犬２の位置を把握することができると共に、第三者に犬２の存在を認知させることができ、安全にペットの歩行又は走行を行えることになる。また、本発明の第５の動物誘導用補助具５０は、本体５１が薄型の矩形箱状に形成されているので、特に小型犬用のものとして最適なものである。
【図面の簡単な説明】
【００７１】
【図１】  本発明の第１の動物誘導用補助具を示す概略斜視図である。
【図２】  本発明の第１の動物誘導用補助具を首輪に取り付けた状態を示す概略斜視図である。
【図３】  本発明の第１の動物誘導用補助具を用いて犬を散歩させる状態を示す図である。
【図４】  本発明の第３の動物誘導用補助具を示す一部破断側面図である。
【図５】  本発明の第３の動物誘導用補助具を用いて犬を散歩させる状態を示す図である。
【図６】  本発明の第３の動物誘導用補助具を用いて犬を散歩させる状態を示す図である。
【図７】  本発明の第４の動物誘導用補助具を示す一部破断側面図である。
【図８】  本発明の給電源の一例を示す概略回路図である。
【図９】  リードを首輪に取り付けた状態を示す概略斜視図である。
【図１０】  リードを用いて犬を散歩させる状態を示す図である。
【図１１】  本発明の第５の動物誘導用補助具を示す分解斜視図である。
【符号の説明】
【００７２】１  動物誘導用補助具
２  犬（ペット）
３  リード
４  首輪
５  本体
６  発光体
１１  フック部
１２  連結部
３０  動物誘導用補助具
３１  本体
４０  動物誘導用補助具
４１  本体
６０  ロッド
６１  ストッパ
７１  コイルバネ
８０  給電源
８１  コイル
８２  磁石
【図１】
2006204277.tif 000003
【図２】
2006204277.tif 000004
【図３】
2006204277.tif 000005
【図４】
2006204277.tif 000006
【図５】
2006204277.tif 000007
【図６】
2006204277.tif 000008
【図７】
2006204277.tif 000009
【図８】
2006204277.tif 000010
【図９】
2006204277.tif 000011
【図１０】
2006204277.tif 000012
【図１１】
2006204277.tif 000013